(57)【要約】【課題】野縁受けの位置決めが容易であると共に、連結された野縁受けの位置ずれを防止することが可能な野縁受け連結部材、野縁受けセット、及び天井下地材を提供すること。【解決手段】野縁受け連結部材１９の側壁２１によって、複数の野縁受け３を側方から挟持することで、複数の野縁受け３，３同士の幅方向の位置決めを行うとともに、野縁受け３の幅方向移動を拘束する。また、野縁受け連結部材１９のプレート部２０と係止爪２５とによって、野縁受け３の高さ方向（上下方向）の移動を拘束する。また、一対の係止爪２５によって、野縁受け３同士の長手方向の位置決めを行うと共に、野縁受け３の長手方向の移動を拘束する。これらにより、野縁受け３同士を長手方向に当接させるとともに、野縁受け３，３同士の位置決めを容易に行うことができる。【選択図】図１
2009275463.tif 000002
【特許請求の範囲】
【請求項１】
野縁に係合可能な複数の野縁受けを長手方向に連結させる野縁受け連結部材であって、
長手方向に延在し前記複数の野縁受けの外面に当接可能とされたプレート部と、
前記プレート部から立設され、前記複数の野縁受けを挟持可能な一対の側壁と、
を備え、
前記側壁には、内方に突出して前記複数の野縁受けに各々係止され、前記複数の野縁受けを各々位置決めすると共に前記複数の野縁受けの長手方向の移動を拘束する一対の係止爪が形成されていることを特徴とする野縁受け連結部材。
【請求項２】
断面コ字状を成しその開放端部から内方へ屈曲された一対のリップ壁を備える野縁に係合可能な複数の野縁受けと、前記複数の野縁受けを長手方向に連結する野縁受け連結部材とを備えた野縁受けセットであって、
前記野縁受けは、
第１のプレート部と、
前記第１のプレート部から立設され互いに対面する一対の対面壁部と、を具備し、
前記対面壁部の頂部には、前記プレート部の長手方向に突出し前記一対のリップ壁に係合可能な一対のリップ突起が形成され、
前記一対のリップ突起には、その両側縁部から内向き又は外向きに屈曲された一対の屈曲片が設けられ、
前記野縁受け連結部材は、
長手方向に延在し前記複数の野縁受けの第１のプレート部の外面に当接する第２のプレート部と、
前記第２のプレート部から立設され、前記複数の野縁受けの対面壁部の外面に当接する一対の側壁と、を備え、
前記側壁には、内方に突出して前記複数の野縁受けの対面壁部の頂部に各々係止され、前記複数の野縁受けを各々位置決めすると共に前記複数の野縁受けの長手方向の移動を拘束する一対の係止爪が形成されていることを特徴とする野縁受けセット。
【請求項３】
請求項２に記載の野縁受けセットと、
前記野縁受けセットの前記野縁受けに係合される野縁と、
を備えることを特徴とする天井下地材。
【発明の詳細な説明】
【技術分野】
【０００１】
本発明は、野縁受け連結部材、野縁受けセット、及び天井下地材に関するものである。
【背景技術】
【０００２】
従来、このような分野の技術として、特開２００７−７０９０２号公報がある。この公報に記載された天井下地材では、野縁を係合させるリップ突起が形成された複数の野縁受けが平行に配置されている。そして、野縁を複数の野縁受けに対して交差して配置して、野縁の開放端部を野縁受けに向けて押し込むことで、野縁を野縁受けに係合することが可能とされている。
【特許文献１】特開２００２−３８６４８号公報
【発明の開示】
【発明が解決しようとする課題】
【０００３】
従来の野縁受けは、図８及び図９に示すような連結部材５０を用いて、長手方向に連結されて使用される。図８は、従来の連結部材を示す斜視図、図９は、従来の連結部材、及びこの連結部材によって連結される野縁受けを示すものであり、連結前の状態を示す側面図である。従来の連結部材５０では、長手方向Ｘの両側から、野縁受け３を差し込むことで、複数の野縁受け３が連結される。
【０００４】
しかしながら従来の連結部材５０では、野縁受け３を差し込むだけで連結させているため、野縁受け３が抜け易いという問題があった。また、従来の連結部材５０では、長手方向Ｘの中央に、野縁受け２を差し込み不可能な部分が形成されているため、互いの野縁受け２の端部が当接不可能であり、野縁受け３の長手方向Ｘにおける位置決めが容易ではないという問題があった。そのため、平行に配置された複数の野縁受け３の各リップ突起１５の位置が揃わない場合には、野縁２の取り付けができないという問題が生じていた。
【０００５】
本発明は、このような課題を解決するために成されたものであり、野縁受けの位置決めが容易であると共に、連結された野縁受けの位置ずれを防止することが可能な野縁受け連結部材、野縁受けセット、及び天井下地材を提供することを目的とする。
【課題を解決するための手段】
【０００６】
本発明による野縁受け連結部材は、野縁に係合可能な複数の野縁受けを長手方向に連結させる野縁受け連結部材であって、長手方向に延在し複数の野縁受けの外面に当接可能とされたプレート部と、プレート部から立設され、複数の野縁受けを挟持可能な一対の側壁と、を備え、側壁には、内方に突出して複数の野縁受けに各々係止され、複数の野縁受けを各々位置決めすると共に複数の野縁受けの長手方向の移動を拘束する一対の係止爪が形成されていることを特徴としている。
【０００７】
また、本発明による野縁受けセットは、断面コ字状を成しその開放端部から内方へ屈曲された一対のリップ壁を備える野縁に係合可能な複数の野縁受けと、複数の野縁受けを長手方向に連結する野縁受け連結部材とを備えた野縁受けセットであって、野縁受けは、第１のプレート部と、第１のプレート部から立設され互いに対面する一対の対面壁部と、を具備し、対面壁部の頂部には、プレート部の長手方向に突出し一対のリップ壁に係合可能な一対のリップ突起が形成され、一対のリップ突起には、その両側縁部から内向き又は外向きに屈曲された一対の屈曲片が設けられ、野縁受け連結部材は、長手方向に延在し複数の野縁受けの第１のプレート部の外面に当接する第２のプレート部と、第２のプレート部から立設され、複数の野縁受けの対面壁部の外面に当接する一対の側壁と、を備え、側壁には、内方に突出して複数の野縁受けの対面壁部の頂部に各々係止され、複数の野縁受けを各々位置決めすると共に複数の野縁受けの長手方向の移動を拘束する一対の係止爪が形成されていることを特徴としている。
【０００８】
また、本発明による天井下地材は、上記の野縁受けセットと、この野縁受けセットの野縁受けに係合される野縁と、を備えることを特徴としている。
【０００９】
このような野縁受け連結部材、野縁受けセット、天井下地材では、野縁受け連結部材の側壁によって、野縁受けを側方から挟持することで、野縁受け同士の幅方向の位置決めを行うとともに、野縁受けの幅方向移動を拘束する。また、野縁受け連結部材のプレート部と係止爪とによって、野縁受けの高さ方向（上下方向）の移動を拘束する。また、一対の係止爪によって、野縁受け同士の長手方向の位置決めを行うと共に、野縁受けの長手方向の移動を拘束する。これらにより、野縁受け同士を長手方向に当接させるとともに、野縁受け同士の位置決めを容易に行うことができる。
【発明の効果】
【００１０】
本発明の野縁受け連結部材、野縁受けセット、及び天井下地材によれば、野縁受け連結部材の側壁に設けられた係止爪によって、野縁受けの位置決めを容易とし、連結された野縁受けの位置ずれを防止することができる。
【発明を実施するための最良の形態】
【００１１】
以下、本発明による野縁受け連結部材、野縁受けセット、及び天井下地材の好適な実施形態について図面を参照しながら説明する。なお、図面の説明において、同一または相当要素には同一の符号を付し、重複する説明は省略する。また、説明の便宜上、野縁受け３の延在方向（長手方向）をＸ軸方向、野縁２の延在方向（長手方向）をＹ軸方向、Ｘ軸方向及びＹ軸方向に対して直交する方向をＺ軸方向として説明する。図１は、本発明の実施形態に係る天井下地材を下方から示す斜視図、図２は、図１中の野縁及び野縁受けを下方から示す斜視図である。
【００１２】
図１に示すように、本実施形態の天井下地材１は、天井裏に配置され天井パネル（不図示）を上方から支持する骨組みを構成するものであり、天井パネルが取り付けられる野縁２と、この野縁２を嵌合させる野縁受け３と、野縁受け３を長手方向に連結する野縁受けジョイント１９とを備えている。そして、野縁２及び野縁受け３は、互いに直交して配置されている。
【００１３】
野縁２は、図２に示すように、断面コ字状を成し、Ｙ軸方向に延在するベース板４と、このベース板４の両側縁部から立設（屈曲）され互いに対面する一対の側壁５，５と、この一対の側壁５，５のベース板４とは反対側の端部（開放端部）５ａ，５ａから内方へ屈曲された一対のリップ壁６，６と、を具備している。リップ壁６は、側壁５の端部５ａからＸ軸方向へ略直角に屈曲されたフランジ部７と、このフランジ部７からＺ軸方向へ鈍角に屈曲形成されたリップ片８と、を備えている。そして、リップ片８と側壁５との間には、リップ溝が形成されている。この一対のリップ片８間のＸ軸方向における間隔は、後述する野縁受け３の台形部（頂部）１２が挿入可能な大きさとされている。また、リップ壁６は、台形部１２を挿入する際に弾性変形し、台形部１２に形成された後述するリップ突起１５によって係止可能な構成とされている。
【００１４】
野縁受け３は、断面コ字状を成し、Ｘ軸方向に延在する平板状のプレート部１０と、このプレート部１０の両側縁部から立設（屈曲）され互いに対面する一対の対面壁部（側壁）１１，１１と、を具備している。この対面壁部１１には、Ｚ軸方向に突出する台形部（頂部）１２がＸ軸方向に複数並設されている。この台形部１２は、台形の上底側が下方に向くように形成され、野縁２の一対のリップ片８，８間に挿入可能とされている。
【００１５】
また、台形部１２の斜辺の下部側には、Ｘ軸方向に突出すると共にＹ軸方向における内方（内向き）に屈曲され、野縁２のリップ壁６を係合させる屈曲片（リップ突起）１５が形成されている。この屈曲片１５の根元部は、台形部１２の斜辺の下部側からＸ軸方向に突出しているため、野縁２のリップ壁６を係合可能とされ、具体的には、リップ壁６のリップ片８のＺ軸方向における端部を係止可能とするものである。また、屈曲片１５は、野縁２を野縁受け３に結合させる際に、野縁２のリップ片８に面接触可能な面を有している。
【００１６】
そして、このように構成された野縁２と野縁受け３とを嵌合結合させる場合には、野縁２の一対のリップ片８，８間の開口部と野縁受け３の台形部１２とが互いに対向するように配置した後に、野縁２を野縁受け３に押し付けて、台形部１２を一対のリップ片８，８間に挿入させて、嵌合させる。
【００１７】
図３は、本発明の実施形態に係る野縁受けジョイントを下方から示す斜視図、図４は、本発明の実施形態に係る野縁受けジョイントを有する野縁受けセットを示す側面図である。野縁受けジョイント１９は、図１、図３及び図４に示すように、複数の野縁受け３，３を長手（Ｘ軸）方向に連結するものであり、断面コ字状を成し、Ｘ軸方向に延在し複数の野縁受け３，３のプレート部１０の外面に当接するプレート部２０と、このプレート部２０の両側縁部から立設（屈曲）され、複数の野縁受け３，３の対面壁部１１，１１の外面に当接する一対の側壁２１，２１と、を具備している。なお、野縁受けジョイント１９及び複数の野縁受け３，３が本発明の野縁受けセットに相当するものである。
【００１８】
一対の側壁２１，２１は、Ｙ軸方向に対面して配置され、複数の野縁受け３，３を間に挟むように保持可能であり、複数の野縁受け３のＹ軸方向の移動を拘束可能である。
【００１９】
一対の側壁２１には、Ｚ軸方向に突出する台形部２２が各々形成されている。野縁受けジョイント１９には、４つの台形部２２が設けられ、互いにＹ軸方向に対向する一対の台形部２２が２組設けられている。この台形部２２は、Ｘ軸方向において、野縁３の台形部１２に対応する位置に形成されている。また、台形部２２，２２は、野縁３の台形部１２を例えば２個分空けて配置されている。
【００２０】
また、台形部２３には、内方（Ｙ軸方向）に屈曲されて突出する係止爪２５が設けられている。この係止爪２５は、台形部２２のＸ軸方向の外側の斜辺から屈曲形成されている。係止爪２５は、図示左側に配置された台形部２２では、左側の斜辺から屈曲され、図示右側に配置された台形部２２では、右側の斜辺から屈曲されている。野縁受けジョイント１９では、１つの台形部２２について、一つの係止爪２５が設けれ、計４つの係止爪２５が設けられている。
【００２１】
係止爪２５は、野縁受け３の台形部１２に係止可能な位置に設けられ、複数の野縁受け３を各々位置決め可能とされている。具体的には、係止爪２５は、野縁受け３の台形部１２の外側の斜辺の根元（台形の下底側）に係止可能な位置に設けられている。そして、野縁受けジョイント１９は、野縁受け３を外側（図示上方）から覆うように取り付けられる。
【００２２】
係止爪２５は、長手方向の両側（野縁受け３の側方）から複数の野縁受け３を挟むように配置され、野縁受けジョイント１９を野縁受け３，３に取り付けた状態において、複数の野縁受け３の長手方向の端部同士を当接させて野縁受け３の長手方向（Ｘ軸方向）の移動を拘束する。また、係止爪２５は、野縁受け３の対面壁部１１を下方から支持可能な構成とされ、係止爪２５とプレート部２０とによって、複数の野縁受け３の高さ方向（Ｚ軸方向）の移動を拘束する。
【００２３】
次に、野縁受けジョイント１９を用いて、２つの野縁受け３，３を長手方向に連結する連結方法について説明する。図５は、本実施形態に係る野縁受けセットを示す分解斜視図である。図５に示すように、まず、２つの野縁受け３，３をＸ軸方向に沿って配置する。具体的には、互いの端部が対面するように配置する。次に、野縁受け３，３の連結部（端部）に対応する位置に野縁受けジョイント１９を配置する。このとき、野縁受けジョイント１９の開放端部と野縁受け３の開放端部とを同じ方向（Ｚ軸方向）に向けて配置する。
【００２４】
野縁受け３，３に対して、野縁受けジョイント１９を配置したら、野縁受けジョイント１９を押し込んで、野縁受け３，３に取り付ける。そして、野縁受けジョイント１９を取付けた状態において、野縁受けジョイント１９のプレート部２０と、野縁受け３のプレート部１０とが対面して当接し、野縁受けジョイント１９の側壁２１と、野縁受け３の対面壁部１１とが対面して当接している。また、係止爪２５が野縁受け３の台形部１２の斜辺に係止される。
【００２５】
図６は、本発明の実施形態に係る天井下地材を示す底面図である。図６に示すように、野縁受けジョイント１９によって、複数の野縁受け３，３の端部同士を当接させて連結することができるため、平行に配置された複数の野縁受け３，３の台形部１２は、Ｘ軸方向において、互いに同じ位置となるように配置される。
【００２６】
図７は、本発明の実施形態に係る野縁受けセットを示す他の側面図である。図７に示す状態では、野縁受けジョイント１９は、一方（図示左側）の野縁受け３に対しては、Ｘ軸方向において１個分の台形部１２と当接し、他方（図示右側）の野縁受け３に対しては、Ｘ軸方向において３個分の台形部１２と当接している。そして、一方の野縁受け３のＸ軸方向の端部から２個目の台形部１２には、野縁２が装着されている。このように、野縁２の装着位置に応じて、野縁受けジョイント１９の野縁受け３に取り付け位置をずらしても、野縁受けジョイント１９を用いて、複数の野縁受け３を連結することができる。
【００２７】
なお、野縁受け３のＸ軸方向の端部から１個目の台形部１２に、野縁２を取り付ける場合には、図４に示すように、両方の野縁受け３に対して、端部から２個目の台形部１２の斜辺に係止爪２５が係止するように、野縁受けジョイント１９を装着すればよい。
【００２８】
このような野縁受けジョイント１９、野縁受けセット、天井下地材１によれば、複数の野縁受け３の端部同士を当接させてＸ軸方向に連結することができる。これにより、野縁受けジョイント１９を用いた野縁受け３の連結状態において、Ｘ軸方向における台形部１２の位置を容易に位置決めすることができる。そのため、互いに平行に配置された野縁受け３同士の台形部１２のＸ軸方向の位置をそろえることができ、複数の野縁受け３に対して、野縁２を装着することができる。
【００２９】
また、野縁受けジョイント１９では、互いに対向する一対の側壁２１によって、複数の野縁受け３を側方から挟持することができるため、野縁受け３同士の幅方向（Ｙ軸方向）の位置決めが容易とされ、野縁受け３の幅方向の移動を拘束することができる。また、野縁受けジョイント１９では、プレート部２０と係止爪２５によって、複数の野縁受け３同士の高さ方向（Ｚ軸方向）の位置決めが容易とされ、野縁受け３の高さ方向の移動を拘束することができる。また、野縁受けジョイント１９では、長手方向に所定の間隔を有して配置された係止爪２５によって、野縁受け３同士の長手方向（Ｘ軸方向）の位置決めが容易とされ、野縁受け３の長手方向の移動を拘束することができる。
【００３０】
また、野縁受けジョイント１９では、４つの係止爪２５を有し、Ｙ軸方向に互いに対向する係止爪２５が、Ｙ軸方向の内側へ屈曲されて形成されているため、複数の野縁受け３を強固に連結することができる。また、係止爪２５は、野縁受け３の台形部１２の斜辺の根元部に形成された凹み部（屈曲片１５をＸ軸方向に突出させることで形成された凹み部）に、係止されるため、装着された野縁受けジョイント１９が、外れ難くい構成とされている。
【００３１】
以上、本発明をその実施形態に基づき具体的に説明したが、本発明は、上記実施形態に限定されるものではない。例えば、野縁受けジョイント１９のＸ軸方向の長さは、自由に設定することができる。同様に、係止爪２５の長手方向における間隔は、野縁受け３の台形部１２の位置に応じて変更してもよい。野縁受け３に装着される野縁は、シングル野縁でもよく、ダブル野縁でもよい。
【図面の簡単な説明】
【００３２】
【図１】本発明の実施形態に係る天井下地材を下方から示す斜視図である。
【図２】図１中の野縁及び野縁受けを下方から示す斜視図である。
【図３】本発明の実施形態に係る野縁受けジョイントを下方から示す斜視図である。
【図４】本発明の実施形態に係る野縁受けジョイントを有する野縁受けセットを示す側面図である。
【図５】本発明の実施形態に係る野縁受けセットを示す分解斜視図である。
【図６】本発明の実施形態に係る天井下地材を示す底面図である。
【図７】本発明の実施形態に係る野縁受けセットを示す他の側面図である。
【図８】従来の連結部材を示す斜視図である。
【図９】従来の連結部材、及びこの連結部材によって連結される野縁受けを示すものであり、連結前の状態を示す側面図である。
【符号の説明】
【００３３】
１…天井下地材、２…野縁、３…野縁受け、５ａ…開放端部、６…リップ壁、９…リップ溝、１０…野縁受けのプレート部（第１のプレート部）、１１…対面壁部、１２…台形部（対面壁部の頂部）、１５…リップ片、１９…野縁受けジョイント（野縁受け連結部材）、２０…野縁受けジョイントのプレート部（第２のプレート部）、２１…側壁、２５…係止爪。
【図１】
2009275463.tif 000003
【図２】
2009275463.tif 000004
【図３】
2009275463.tif 000005
【図４】
2009275463.tif 000006
【図５】
2009275463.tif 000007
【図６】
2009275463.tif 000008
【図７】
2009275463.tif 000009
【図８】
2009275463.tif 000010
【図９】
2009275463.tif 000011